(57)【要約】【課題】  鞄やバックの中に弁当を入れて勤務し、食事の際に寒いときには暖かい弁当を、暑い日には副食物が変化しないような方法を、経済的に行うことはできないものかということが要請されていた。【解決手段】  加湯装置２に弁当箱３を隙間が均等になるように加湯装置内底部６の弁当箱支柱１０の上に置き、湯を加湯装置蓋部５近くまで注ぎ、弁当箱３の温度上昇をさせる。また、暑い日に副食物の劣化を防ぐ方法として、市販或いは添加物に使用されている冷却材を集め加湯装置２と弁当箱３の隙間に詰めるのもよいが、冷蔵庫から氷を出し水と共に加湯装置２と弁当箱３の間に詰めることのできるのが加湯装置を備える弁当箱１である。【選択図】図２
0003141290.tif 000002
【実用新案登録請求の範囲】
【請求項１】
弁当を保温するために弁当箱の外側に加湯装置を備えた装置であって、該加湯装置は箱体或いは円筒形の桶状を成し、加湯装置蓋部には冷却材受棚を有し、加湯装置内底部には弁当箱を支える弁当箱支柱を設置する加湯装置を備える弁当箱。
【請求項２】
加湯装置蓋部には、冷却材受棚を設置し、該冷却材受棚は冷却材受棚止めにより、取り付け取り外しが可能であることを特徴とする請求項１の加湯装置を備える弁当箱。
【請求項３】
冷却専用蓋は、加湯装置蓋部に冷却材を一体の状態に取り込まれていることを特徴とする請求項１乃至請求項２の加湯装置を備える弁当箱。
【請求項４】
加湯装置内底部には、弁当箱を支える弁当箱支柱を設置し、該弁当箱支柱は弁当箱支柱填込み溝により取り付け取り外しが可能であることを特徴とする請求項１の加湯装置を備える弁当箱。
【考案の詳細な説明】
【技術分野】
【０００１】  本考案は、冷めたい弁当を温めたり、或いは冷えないように、又は、副食物が腐敗しないような構造の弁当箱に関する。
【背景技術】
【０００２】  従来、弁当箱には諸種のものが多くあり、近年では高価なものが数多く市場に出ている。しかし、高価なものは保温状態も良く外見も素晴らしいものもあるが、一般の庶民には程遠いものがあり、箱形の弁当箱に食物を詰め出勤の際に鞄やバックに入れている様子をよく見受け、食事の時間が近づくと弁当全体が冷えたり、夏の暑い日などは副食物が臭ったりする。そこで、ローコストの弁当箱に弁当を自宅で詰め、職場で暖かく食べられると便利である。上記の前者の高価なものに「特許文献１」があげられ、本考案に近いものに「特許文献２」及び「特許文献３」をあげることができるが相違点もまた大きい。
【特許文献１】特許公開第２００７−３１３２２９号
【特許文献２】特許公開第２００７−２５９９６６号
【特許文献３】実用新案公開平第７−２０８４４号
【考案の開示】
【考案が解決しようとする課題】
【０００３】  「特許文献１」の「特許公開第２００７−３１３２２９号」の「保温弁当箱」は、保温効果も良く、特に、断熱効果に注意を注がれているが、サラリーマンや作業労働者のような低賃金の者には、購入価格が大きいことと、持ち運ぶ方法として自家用車をもって勤務する場合は使用に耐えられても、鞄の中に忍ばせて移動するような携帯のものを使用している人達には、高嶺の花である。「特許文献２」の「特許公開第２００７−２５９９６６号」の「発熱具を備えた弁当箱」と「特許文献３」の「実用新案公開平第７−２０８４４号」の「保温弁当箱」は、確かに、従来のような安価で持ち運びも容易な形態になっており、比較的本考案に近いものではあるが、発熱具を購入し備え付けなければならないという相違点がある。弁当箱はできるだけコンパクトであり、経済的出費を押さえることのできるものが本考案の目的である。【０００４】  本考案は、以上の要請に鑑みて考案されたものであり、加湯装置と分離して運ぶことも可能であり、かつ、弁当箱内部をも温めることのできる加湯装置を備える弁当箱を提供することを目的としている。
【課題を解決するための手段】
【０００５】  本考案は、以上の目的を達成するために、請求項１の考案は、弁当を保温のために弁当箱の外側に加湯装置を備えたものであって、該加湯装置は、箱体或いは円筒形の桶状を成し、加湯装置蓋部には冷却材受棚を有し、加湯装置内底部には弁当箱を支える弁当箱支柱を設置することを特徴とする。【０００６】  また、請求項２の考案は、加湯装置蓋部に冷却材受棚を設置し、該冷却材受棚は冷却材受棚止めにより取り付け取り外しが可能であることを特徴とする。【０００７】  また、請求項３の考案は、加湯装置蓋部に冷却材が一体の状態に取り込まれていることを特徴とする請求項１乃至請求項２の加湯装置を備える弁当箱。【０００８】  また、請求項４の考案は、加湯装置内底部に弁当箱を支える弁当箱支柱を設置し、該弁当箱支柱は弁当箱支柱填込み溝により取り付け取り外しが可能であることを特徴とする。
【考案の効果】
【０００９】  １）本考案の請求項１の加湯装置を備える弁当箱によれば、加湯装置の中に弁当箱を加湯装置内側部に間隔を置きながら弁当箱支柱の上に安定させた後、加湯装置蓋部近くまで加湯し、加湯装置蓋部にて上部を密閉することにより、冷えていた弁当は弁当箱と共に温度は上昇する。弁当箱の中には副食物も入っていることから、温度の上昇が高すぎる場合には湯加減により弁当の温度を調整することができる。また、夏の暑い日などは、副食物の劣化が心配されるため、そのような場合は、冷却材受棚に冷却材を置くか、或いは、弁当箱の上に直接置くか、更に、加湯装置底部に冷却材を置くことにより弁当全体を冷やすことができる。経済性を考えるときに、外気の温度の高いときには冷却材を使用するが、冷却材は冷凍食品などを購入した際に付加されている冷却材、或いは、冷蔵庫から得た氷を使用することも一つの方法である。弁当は家で作って職場などで食べるが、マイカーを使用する場合は、加湯装置の中に弁当箱を入れ、湯または湯の代わりに発熱体を入れて使用することもできる。弁当箱だけを鞄或いはバックに入れて移動する場合は、加湯装置のみを勤務先などに置き、食事の３０分或いは１時間程前に湯を注いで置くことにより、暖かい弁当を食べることができ便利である。【００１０】  ２）本考案の請求項２の加湯装置蓋部には、冷却材受棚を設置していることによれば、弁当は、保温することのみではなく、冷却したい場合もあり、冷却したいものは主に副食物である。弁当箱で副食物は上の方に置く方法が多いため、冷却材受棚を加湯装置蓋部に設置している。ここで、敢えて、加湯装置蓋部に冷却材受棚を設置したのは、該加湯装置蓋部と冷却材受棚の部材と冷却材の三部材を固定したまま冷蔵庫に保管して置き、使用する際に該三部材を固定したまま蓋をすることにより、冷却効果も上がることと簡便で日常的である。冷却する場合は、氷を冷却材として使用すると経済的であり、入手も得易く便利である。【００１１】  ３）本考案の請求項３の冷却専用蓋は、加湯装置蓋部に冷却材が一体の状態に取り込まれていることによれば、夏の暑い日などに、冷却材が加湯装置蓋部に一体になっている冷却専用蓋を使用する前日に冷蔵庫に入れて置き、翌日に弁当ができあがった状態で加湯装置に蓋をする際、冷却専用蓋を冷蔵庫から出して蓋をする。この方法は、日常的に行う子供達の弁当作りを含めて簡単で便利に冷やすことができる。しかし、寒い季節には加湯装置蓋部のみを使用することにより、湯の使用が多くできることから保温効果を上げることができる。【００１２】  ４）本考案の請求項４の加湯装置内底部には、弁当箱を支える弁当箱支柱を設置し、該弁当箱支柱は弁当箱支柱填込み溝により取り外すことが可能であることによれば、弁当をよりよく温めるには、前後左右の加湯装置内測部から温めるのが効率的であることは云うまでもないが、下部からも温めたりする必要な場合もある。上部は、副食物を入れることから内部の物によっては温め方が異なる場合もあり注意しなければならない。加湯装置内底部には主食があることから、できるだけ平均に温めたいため湯の通りをよくしておく必要もあり、加湯装置内底部を空けておかなければならない。そのために、���湯装置内底部に弁当箱支柱を設置し湯の通りをよくなるよう考えられている。また、主食を冷却したい場合は、この加湯装置内底部に氷または冷却材を入れることができ多目的効果がある。更に、弁当箱と加湯装置内側部との間に氷または冷却材を入れることにより冷却効果的は一段と高めることができる。加湯装置内底部に弁当箱支柱のあることにより、清掃の際に邪魔になり手がよく届かないということもあり、弁当箱支柱の頭部を横に強く押すことにより、弁当箱支柱は弁当箱支柱填込み溝より剥がれて取り出すことができるため非常に便利である。
【考案を実施するための最良の形態】
【実施例】
【００１３】  以下、本考案の加湯装置を備える弁当箱の実施例を図面を参照して詳述する。図１は、本考案の斜視図である。弁当箱３の外側に加湯装置２がありそれぞれ空間を持っている。また、弁当箱支柱１０により弁当箱３は空間に浮かんだように存在している。弁当箱３の上部には冷却材受棚４が設置してあり、更に、その上の加湯装置蓋部５と冷却材受棚４とは冷却物受棚止め９により接合されていることから、容易に取り外しができるよう接合している。そのため、取り外して弁当箱蓋１１の上に氷または冷却材１８を直接乗せて冷却することも方法の一つである。弁当箱支柱１０により弁当箱３は浮かんでいるように不安定であることから、ストッパー１５により前後左右に振れないよう弁当箱３の裏側に長方形（図示されていない）の枠を設置している。尚、本考案の材質はプラスチック製でポリエチレンを主に用い、加湯装置蓋止め８及び冷却物受棚止め９、または、弁当箱蓋１１の接続箇所のパッキンはシリコンゴムを使用している。【００１４】  図２は、図１のＡ−Ａ′の矢印の方向に切断したと想像する断面図である。図１に於いて述べているが、加湯装置２と弁当箱３の間に充分な間隔を置いているのは、湯を持って弁当箱３を温めるためである。本考案の実施例によると、加湯装置２の容積を縦２０ｃｍ横１５ｃｍ高さ１５ｃｍ−３ｃｍ（冷却材受棚４の部分を引く）＝１２ｃｍ従って１５ｃｍ×２０ｃｍ×１２ｃｍ＝３．６００ｃｃとなる。一方弁当箱３の体積は２０ｃｍ×１０ｃｍ×７ｃｍ＝１．４００ｃｃとなる。加湯装置２の容積から弁当箱３の体積を引くと２．２００ｃｃとなり８００ｃｃが残る。仮に、加湯装置２の容積と弁当箱３の体積が等量だとして弁当箱３全体の温度が１０℃として加湯装置２と弁当箱３との間に８０℃の湯を１．４００ｃｃ入れると弁当箱３の温度は４５℃と云うことになり、前記の８００ｃｃの残りがあることから全体の温度は５０℃になると予定していたが、実験で得た結果は、加湯装置２の容器いっぱいに９０℃の湯を注いで３０分間を要したとき５３℃近くを得た。実際に使用する場合で余裕のある職場では、加湯後１時間３０分乃至２時間程度経過した後に、湯を取り替えることにより理想的な保温状態を得ることができると云うことを実験から得られた。更に、今後も研究と実践を続けていきたい。【００１５】  日常は、弁当箱３を加湯装置２に安定させる場合、前述の如くストッパー１５の枠内に弁当箱支柱１０を填め込むように安定させるのであるが、加湯装置２を洗浄する場合に弁当箱支柱１０が邪魔な場合がある。そのようなときは、加湯装置２に設置してある弁当箱支柱填込み溝１７により、弁当箱支柱１０に少し力を加えることで弁当箱支柱１０を加湯装置２から取り去ることができるようになっている。【００１６】  図３は、冷却材受棚４の平面図である。冷却材受棚４のみを取り出した状態である。副食物の内容によっては異なるが、寒い気節或いは必要のない場合は冷却物受棚止め９により冷却材受棚４を取り外して置いてもよい。冷却材受棚４の冷却材受棚孔１６による通気は、金網でもよいが経済性を考えてプラスチック製とした。【００１７】  図４は、冷却材受棚４と弁当箱３とを取り除いて、加湯装置２の平面図である。図４は加湯装置蓋部５を設置したまま弁当箱支柱１０の位置と加湯装置内側部７を明示したもので、加湯装置蓋止め８は重複箇所が多いため明示が困難なことから破線のみとした。【００１８】  図５は、加湯装置蓋部５に冷却材１８を一体的に取り込んでいる状態の冷却専用蓋１９の断面図である。加湯装置蓋部５の平面の部分を肉厚にし、その中に冷却材１８を一体的に取り込んで固定し、加湯装置２の蓋とするものである。【００１９】  次に、加湯装置２使用による作用を図２より詳述する。寒いときは、弁当を暖かくして食べたいと云う願いは誰しもである。図２に於いて、弁当箱３の周囲は空間にしており、冷却材受棚４を除くと弁当箱支柱１０以外は外部との接点がなく空間になる。弁当箱支柱１０に置いても内部は空洞にしており、熱伝導をできるだけ避けるよう考慮されている。冷たい弁当を暖かくして食べる方法として、本考案の加湯装置２に弁当箱３を隙間が均等になるように加湯装置内底部６に弁当箱支柱１０を設置し、その上の弁当箱３の底にストッパー１５を設置し、該２部材がカッツーンと音が出るようにして填め込むことのできるよう両部材を合わせている。湯を加湯装置蓋部５近くまで注ぎ、加湯装置蓋部５をしっかりと締め付けて弁当箱３の温度上昇を待つのであるが、この方法は、弁当の内部と好みによって湯加減をしながら待つと云うことである。湯加減と待つ時間により弁当内部の変化は異なる。また、暑い日に副食物の劣化を防ぐ方法として、市販或いは生物などの劣化を防ぐための添加物などに使用されている冷却材１８を集め、加湯装置２と弁当箱３の隙間、即ち、加湯装置内側部７に或いは加湯装置内底部６に詰めるのもよいが、冷蔵庫から氷を出し水と共に該各箇所に詰める方法により経済性をねらうことができる。
【図面の簡単な説明】
【００２０】
【図１】加湯装置を備える当箱箱の斜視図。
【図２】加湯装置を備える弁当箱の断面図。
【図３】冷却材受棚の平面図。
【図４】冷却材受棚と弁当箱を取り除いた加湯装置の平面図。
【図５】冷却専用蓋の断面図。
【符号の説明】
【００２１】  １．加湯装置を備える弁当箱
２．加湯装置
３．弁当箱
４．冷却材受棚
５．加湯装置蓋部
６．加湯装置内底部
７．加湯装置内側部
８．加湯装置蓋止め
９．冷却材受棚止め
１０．弁当箱支柱
１１．弁当箱蓋
１２．副食物入れ底
１３．副食物入れ
１４．主食入れ
１５．ストッパー
１６．冷却材受棚孔
１７．弁当箱支柱填込み溝
１８．冷却材
１９．冷却専用蓋
【図１】
0003141290.tif 000003
【図２】
0003141290.tif 000004
【図３】
0003141290.tif 000005
【図４】
0003141290.tif 000006
【図５】
0003141290.tif 000007